(57)【特許請求の範囲】
【請求項１】
ワイヤロープを用いて手編み玉掛索を製作する途中で、種類などの必要事項が記載されたラベルの幅狭な先端側をワイヤロープの本線内部に差し込んで取り付けることを特徴とする手編み玉掛索のラベル取り付け法。
【請求項２】
ワイヤロープを用いて手編み玉掛索を製作する途中で、種類などの必要事項が記載されたラベルの幅狭な先端側をワイヤロープの本線内部に差し込んで、ラベルの先端側を本線内部の心綱と螺旋状に絡ませて取り付けることを特徴とする手編み玉掛索のラベル取り付け法。
【請求項３】
ラベルの幅狭な先端側の先端には膨らみ部が形成されている請求項１又は請求項２記載の手編み玉掛索のラベル取り付け法。
【請求項４】
ラベルの幅狭な先端側はこより状に形成されている請求項１〜請求項３のいずれかに記載の手編み玉掛索のラベル取り付け法。
【請求項５】
ラベルの幅狭な先端側はその両幅側端が鋸歯状の幅狭鋸歯片に形成されている請求項１〜請求項３のいずれかに記載の手編み玉掛索のラベル取り付け法。
【発明の詳細な説明】
【技術分野】
【０００１】
この発明は、ワイヤロープの先端を折り返して輪状にした手編み玉掛索に取り付けるラベルの技術に係り、特に、ワイヤロープを用いて手編み玉掛索を製作する途中で、ラベルのこより状にした先端側をワイヤロープの本線内部に差し込んで取り付けることにより、手編み玉掛索からラベルが簡単に外れることがないようにした手編み玉掛索のラベル取り付け法に関するものである。
【背景技術】
【０００２】
手編み玉掛索はその先端側の輪状の部分に物を吊り下げることができる。これに対して台付索は先端側の輪状の部分に物を吊り下げることができない。しかし、手編み玉掛索と台付索は共に、ワイヤロープの先端側が輪状に形成された形状になっていて似ているので、外形だけからでは玉掛索なのか台付索なのかの見分けが簡単にできない。
このため、図７に図示するように手編み玉掛索には、玉掛索用などの種類、用途、その他の必要事項を記載したラベル１０１が取り付けられている。ラベル１０１は、その一端側をワイヤロープの側周面に一周させ、一周したその先端側をラベル１０１の基部側に重ね、重ねた部分をホッチキス１０２によって綴じることにより、手編み玉掛索に取り付けられている。
【発明の開示】
【発明が解決しようとする課題】
【０００３】
しかしながら、前記したように、手編み玉掛索に取り付けられるラベルはホッチキスによって綴じられているため、手編み玉掛索の使用中やその前後の取り扱い中、或いは収納やその取り出し中に、簡単に外れることがあった。そして、ラベルが外れると、ワイヤロープの種類、長さ、ロープ径などが分からなくなる。この場合、ホッチキスに代えて、ラベルの一周した先端側を基部側に重ね、重ねた部分を逢着することも考えられるが手間がかかり面倒である。
【０００４】
この発明は、上記のような課題に鑑み、その課題を解決すべく創案されたものであって、その目的とするところは、ワイヤロープを用いて手編み玉掛索を製作する途中で、ラベルの幅狭な先端側をワイヤロープの本線内部に差し込んで取り付けることにより、手編み玉掛索からラベルが簡単に外れることがないようにした手編み玉掛索のラベル取り付け法を提供することにある。
【課題を解決するための手段】
【０００５】
以上の目的を達成するために、請求項１に係る手編み玉掛索のラベル取り付け法の発明は、ワイヤロープを用いて手編み玉掛索を製作する途中で、種類などの必要事項が記載されたラベルの幅狭な先端側をワイヤロープの本線内部に差し込んで取り付ける手段によりなるものである。
【０００６】
また、請求項２に係る手編み玉掛索のラベル取り付け法の発明は、ワイヤロープを用いて手編み玉掛索を製作する途中で、種類などの必要事項が記載されたラベルの幅狭な先端側をワイヤロープの本線内部に差し込んで、ラベルの先端側を本線内部の心綱と螺旋状に絡ませて取り付ける手段によりなるものである。
【０００７】
ここで、請求項１又は請求項２の好ましい態様として、ラベルの幅狭な先端側の先端には膨らみ部が形成されている。
【０００８】
また、ここで、請求項１〜請求項３のいずれかに記載の手編み玉掛索のラベル取り付け法の好ましい態様として、ラベルの幅狭な先端側はこより状に形成されている。
【０００９】
また、ここで、請求項１〜請求項３のいずれかに記載の手編み玉掛索のラベル取り付け法の好ましい態様として、ラベルの幅狭な先端側はその両幅側端が鋸歯状の幅狭鋸歯片に形成されている。
【発明の効果】
【００１０】
以上の記載より明らかなように、この発明に係る手編み玉掛索のラベル取り付け法によれば、ワイヤロープを用いて手編み玉掛索を製作する途中で、作業を繰り返す間に、ワイヤロープの本線側の内部では、挿入したラベルの幅狭な先端側が心綱と螺旋状に絡み合って、ラベルの先端側はワイヤロープの本線側から抜けなくなる。このように、ワイヤロープを用いての手編み玉掛索の製作を利用してラベルを手編み玉掛索に取り付けることができる。
【００１１】
請求項３のように、ラベルの幅狭な先端側の先端に膨らみ部が形成されている場合には、この膨らみ部がストッパーの機能を果たして心綱の間で引っ掛かって増々外れにくくすることができる。
【００１２】
また、請求項４のように、ラベルの幅狭な先端側がこより状に形成されている場合には、ラベルの先端側を幅狭にするために切り欠くことなく、ラベルの先端側をこより状に捻るだけで簡単に幅狭にすることができる。
【００１３】
また、請求項５のように、ラベルの先端側が幅狭鋸歯片に形成されている場合には、幅狭鋸歯片の両幅側端の鋸歯状の凹凸部分がサイドストッパーの機能を果たして心綱の間で引っ掛かってさらに増々外れにくくすることができる。
【発明を実施するための最良の形態】
【００１４】
以下、図面に記載の発明を実施するための最良の形態に基づいて、この発明をより具体的に説明する。
【００１５】
ワイヤロープ１１を用いて手編み玉掛索を製作する方法においては、既知の編み込み方法、例えば巻差し方法、かご差し方法などを用いる。このうち、巻差し方法はワイヤロープ１１の先端をストランド１〜６の単位に解いて、そのストランド１〜６をワイヤロープ本線１１ａのストランドＡ〜Ｆの間に通して、本線１１ａのより方向と同方向に巻いて行く方法である。
【００１６】
かご差し方法はワイヤロープ１１の先端をストランド１〜６の単位に解いて、そのストランド１〜６をワイヤロープ本線１１ａのストランドＡ〜Ｆの間に通して、本線１１ａのより方向と反対方向に巻いて行く方法である。
【００１７】
これらの既知の編み込み方法において、ワイヤロープ１１の先端側の心綱７を入れる前後に、種類などの必要事項が記載されたラベル８の先端側８１をワイヤロープ本線１１ａの内部の心綱７に沿うように挿入し、その後は引き続きなされる編み込み方法によって、内部の両心綱７とラベル８の先端側８１とは螺旋状に絡み合うことになり、ワイヤロープ本線１１ａから抜けなくなるのである。
【００１８】
ラベル８には種類として玉掛索の文字が記載されており、これ以外に例えばワイヤロープ１１の直径、長さ、加工種別などの必要事項が記載されている。ラベル８は、破れにくように、その材質には例えば繊維性のものが使用されたり、油などが付着しにくい材質のものが使用される。
【００１９】
ラベル８は横長な長方形の形状に形成され、又その先端側８１は幅が狭くなった幅狭に形成されていて、ワイヤロープ本線１１ａの内部に挿入され易くすると共に内部の両心綱７と螺旋状に絡み合い易くなるように形成されている。
【００２０】
ラベル８の先端側８１は、幅狭な構造として、例えばこより状８１ａにねじられた構造からなっている。こより状８１ａ以外の形状として、先端側８１の幅が狭くなるように切り欠かれた幅狭片８１ｂに形成されていたり、また、先端側８１の幅が狭くなるように切り欠かれると共にその両幅側端が鋸歯状の幅狭鋸歯片８１ｃに形成されて、さらに抜けにくい形状に形成されていることもある。
【００２１】
また、ラベル８の先端側８１の先端には膨らみ部８２が形成されている。膨らみ部８２はラベル８の先端を例えば丸めて形成されている。膨らみ部８２はその径が先端側８１の幅より広くて太くなっていて、この膨らみ部８２によってもラベル８は両心綱７及びワイヤロープ本線１１ａから簡単に外れないようにもなっている。
【００２２】
既知の編み込み方法の例えばかご差し方法の手順で、本願発明の手編み玉掛索を製作する方法について、以下説明する。
かご差し方法の手順に沿って、先ずワイヤロープ１１の端部側に輪状１２を作る。
ワイヤロープ１１の先端側を折り返し、折り返した先端側をワイヤロープ１１を構成する６組のストランド１〜６と心綱７とをバラバラに分け、先端部分が折り返される基側となるワイヤロープ１１の本線の６組のストランドＡ〜Ｆによってより込まれている部分の特定の間に、きめられた順序で各ストランド１〜６を通し決まった間から抜き出して、ワイヤロープ１１の端部側に輪状１２を作る。心綱７には例えば麻芯が使用される。
図２に基づいて簡単に説明すると、以下の手順で行われる。
（１）ストランド１をワイヤロープ１１の本線１１ａ側のストランドＡ・Ｆの間から心綱７の左を通してストランドＢ・Ｃの間に抜く。
（２）ストランド２をワイヤロープ１１の本線１１ａ側のストランドＡ・Ｆの間から心綱７の左を通してストランドＣ・Ｄの間に抜く。
（３）ストランド３をワイヤロープ１１の本線１１ａ側のストランドＡ・Ｆの間から心綱７の右を通してストランドＤ・Ｅの間に抜く。
（４）ストランド４をワイヤロープ１１の本線１１ａ側のストランドＡ・Ｆの間から心綱７の右を通してストランドＥ・Ｆの間に抜く。通したストランド４を締め込む。
（５）ストランドＡ・Ｆの間からストランドＢ・Ｃの間にスパイキを差してストランドＡ・Ｆの間にワイヤロープ１１の先端側の心綱７を入れるが、この心綱７の入れる作業の前又は後に、ラベル８の先端側８１をストランドＡ・Ｆの間から入れ、ワイヤロープ１１の本線１１ａ側の内部の心綱７に沿うように取り付ける。この場合、ワイヤロープ１１の本線１１ａ側の内部に入れたラベル８の先端側８１が外れないように、スパイキを捻って、ストランドＡ・Ｆの間を締め戻す。
（６）ストランド５をワイヤロープ１１の本線１１ａ側のストランドＡ・Ｂの間から通してストランドＡ・Ｆの間に抜く。ストランドＡ〜Ｆのよりを戻す。
（７）ストランド６をワイヤロープ１１の本線１１ａ側のストランドＢ・Ｃの間から通してストランドＡ・Ｂの間に抜く。ストランドＡ〜Ｆのよりを戻す。ハンマで軽く均す。
以上の手順でワイヤロープ１１の端部側には輪状１２が作られる。
【００２３】
次に、かご差し方法の手順に沿って、ワイヤロープ１１を構成する６組のストランド１〜６の先端側をワイヤロープ１１の本線１１ａの表面に通して抜き出す丸差し作業を所定回数、例えば３回繰り返して行う。日本国の法規では３回以上が要求されている。
図２に基づいて簡単に説明すると、以下の手順で行われる。
（１回差し）
（８）ストランド１をワイヤロープ１１の本線１１ａ側のストランドＣ・Ｄの間から心綱７の左を通してストランドＥ・Ｆの間に抜く。
（９）ストランド２をワイヤロープ１１の本線１１ａ側のストランドＤ・Ｅの間から通してストランドＡ・Ｆの間に抜く。
（10）ストランド３をワイヤロープ１１の本線１１ａ側のストランドＥ・Ｆの間から通してストランドＡ・Ｂの間に抜く。
（11）ストランド４をワイヤロープ１１の本線１１ａ側のストランドＡ・Ｆの間から通してストランドＢ・Ｃの間に抜く。
（12）ストランド５をワイヤロープ１１の本線１１ａ側のストランドＡ・Ｂの間から通してストランドＣ・Ｄの間に抜く。ストランドＡ〜Ｆのよりを戻す。
（13）ストランド６をワイヤロープ１１の本線１１ａ側のストランドＢ・Ｃの間から通してストランドＤ・Ｅの間に抜く。ハンマで軽く均す。
以上で１回差しが終了し、この作業を後２回続ける。
合計３回繰り返すことにより、丸差しは終わる。
【００２４】
前記した作業において、各ストランド１〜６がワイヤロープ１１の本線１１ａ側の一方側のストランドＡ〜Ｆの各間に通し易くし、又他方側のストランドＡ〜Ｆの各間から抜きやすくするために、図示しないスパイキという差し棒が使用されて、各間が広げられているのは勿論である。また、各ストランド１〜６を通した後は、スパイキを捻って、抜けないように締め込む。
【００２５】
前記の作業を繰り返す間に、ワイヤロープ１１の本線１１ａ側の内部では、両心綱７及びラベル８の幅狭な先端側８１は螺旋状に絡み合って、ラベル８の先端側８１はワイヤロープ１１の本線１１ａ側から抜けなくなる。
【００２６】
特に、ラベル８の幅狭な先端側８１の先端に膨らみ部８２が形成されている場合には、この膨らみ部８２がストッパーの機能を果たして両心綱７の間で引っ掛かって増々外れにくくなる。また、ラベル８の先端側８１が幅狭鋸歯片８１ｃに形成されている場合には、幅狭鋸歯片８１ｃの両幅側端の鋸歯状の凹凸部分がサイドストッパーの機能を果たして両心綱７の間で引っ掛かってさらに増々外れにくくなる。
【００２７】
なお、この発明は上記発明を実施するための最良の形態に限定されるものではなく、この発明の精神を逸脱しない範囲で種々の改変をなし得ることは勿論である。前記の発明を実施するための最良の形態においては、既知の編み込み方法としてかご差し方法の手順に沿って説明したがこれに限定されるものではなく、例えば巻差し方法、などを用いてもよい。
【図面の簡単な説明】
【００２８】
【図１】ワイヤロープの先端側を折り返して輪状を作る説明図である。
【図２】ストランドをワイヤロープの本線に通し及び抜き出す経路説明図である。
【図３】（Ａ）〜（Ｃ）はラベルの斜視図である。
【図４】製作途中のラベルが取り付けられた手編み玉掛索の端部側の正面図である。
【図５】製作後のラベルが取り付けられた手編み玉掛索の端部側の正面図である。
【図６】手編み玉掛索の編み込み部分の部分内部図である。
【図７】手編み玉掛索に従来によるラベルの取り付け説明図である。
【符号の説明】
【００２９】
１〜６  ストランド
Ａ〜Ｆ  ストランド
１１    ワイヤロープ
１１ａ  本線
１２    輪状
７    心綱
８    ラベル
８１    先端側
８１ａ  こより状
８１ｂ  幅狭片
８１ｃ  幅狭鋸歯片
８２    膨らみ部
【図１】
0004814650.tif 000002
【図２】
0004814650.tif 000003
【図３】
0004814650.tif 000004
【図４】
0004814650.tif 000005
【図５】
0004814650.tif 000006
【図６】
0004814650.tif 000007
【図７】
0004814650.tif 000008